(57)【要約】【課題】画像データを複数の表示装置にマルチ画面表示する場合において、各表示装置に表示させる画像データを動的に特定して表示させることが可能なマルチ画面表示装置を提供する。【解決手段】複数の表示装置によって全体画像をマルチ画面表示するマルチ画面表示装置であって、表示装置のそれぞれは、入れ替え可能であって、マルチ画面表示装置に設けられた複数の信号出力部から出力された信号を受信する受信部と、受信部が受信したそれぞれの信号に基づいて、マルチ画面表示装置における自装置の位置を動的に特定する表示位置判定部と、全体画像のうち、特定された位置に対応する部分画像を、表示装置に表示させるべき画像として特定する表示領域判定部と、部分画像を表示部に表示させる表示制御部と、を備えることを特徴とする。【選択図】図１
2014164083.tif 000002
【特許請求の範囲】
【請求項１】
複数の表示装置によって全体画像をマルチ画面表示するマルチ画面表示装置であって、
前記表示装置のそれぞれは、入れ替え可能であって、
前記マルチ画面表示装置に設けられた複数の信号出力部から出力された信号を受信する受信部と、
前記受信部が受信したそれぞれの信号に基づいて、前記マルチ画面表示装置における自装置の位置を動的に特定する表示位置判定部と、
前記全体画像のうち、特定された前記位置に対応する部分画像を、前記表示装置に表示させるべき画像として特定する表示領域判定部と、
前記部分画像を表示部に表示させる表示制御部と、
を備えることを特徴とするマルチ画面表示装置。
【請求項２】
前記マルチ画面表示装置は、
前記信号出力部としてスピーカを有し、
前記受信部は、それぞれの前記スピーカからの出力音声を受信し、
前記表示位置判定部は、前記受信部が受信したそれぞれの出力音声に基づいて、前記マルチ画面表示装置における自装置の位置を動的に特定する、
ことを特徴とする請求項１に記載のマルチ画面表示装置。
【請求項３】
前記信号出力部は、それぞれが互いに対称な位置となるように、前記マルチ画面表示装置に配置されている、
ことを特徴とする請求項１または２に記載のマルチ画面表示装置。
【請求項４】
前記表示位置判定部は、前記全体画像と前記信号とに基づいて、前記部分画像があらかじめ定められた本来表示すべき位置からずれているか否かを判定し、前記部分画像があらかじめ定められた本来表示すべき位置からずれていると判定した場合には、表示されている部分画像を前記本来表示すべき位置の画像に補正して表示させる、
ことを特徴とする請求項１〜３のいずれか１項に記載のマルチ画面表示装置。
【請求項５】
前記表示部は、タッチパネルであって、
前記表示位置判定部は、前記タッチパネルが受け付けたタッチ操作による前記部分画像の変化量に基づいて、表示されている部分画像を補正して表示させる、
ことを特徴とする請求項１〜４のいずれか１項に記載のマルチ画面表示装置。
【請求項６】
前記マルチ画面表示装置は、前記表示装置のそれぞれを前記マルチ画面表示装置の所定の位置に配置するためのレールと、前記レールの構成情報を記憶する記憶部と、をさらに備え、
前記表示位置判定部は、前記全体画像と前記構成情報とに基づいて、前記表示装置に表示する部分画像に対応する位置にある前記レールの画像を含めて前記部分画像を表示させる、
ことを特徴とする請求項５に記載のマルチ画面表示装置。
【請求項７】
前記表示位置判定部は、前記表示装置が前記フレームから外されたか否かを判定し、前記表示装置が前記フレームから外されたと判定した場合には、前記全体画像を縮小して前記表示装置に表示させる、
ことを特徴とする請求項６に記載のマルチ画面表示装置。
【請求項８】
前記表示位置判定部は、前記表示装置が前記フレームから外されたか否かを判定し、前記表示装置が前記フレームから外されたと判定した場合には、前記フレームから外れている旨の注意メッセージを前記表示装置に表示させる、
ことを特徴とする請求項６に記載のマルチ画面表示装置。
【発明の詳細な説明】
【技術分野】
【０００１】
本発明は、マルチ画面表示装置に関する。
【背景技術】
【０００２】
従来から、複数の画像表示装置を用いて画像データを表示させるマルチ画面表示技術がある。例えば、特許文献１では、複数の携帯情報端末の番号と順位を対応付けて各端末の位置を定め、１つの携帯端末に表示されている画像を順番に各携帯端末に拡大し、元の画像データをマルチ表示することにより、簡便にマルチ画面表示環境を構築する技術が開示されている。
【先行技術文献】
【特許文献】
【０００３】
【特許文献１】特許第３６３８５６１号
【発明の概要】
【発明が解決しようとする課題】
【０００４】
しかしながら、特許文献１に記載された技術では、ある携帯情報端末が他の携帯情報端末と入れ替えられる等、携帯情報端末が入れ替えられて移動するような場合には、位置関係が崩れてしまうため、マルチ画面表示させる順位を再設定する必要がある。すなわち、上記特許文献１に記載された技術では、画面表示装置の位置が静的に定められてしまうため、ユーザは携帯情報端末が移動するたびにその再設定操作を行う必要があり、面倒な操作を強いられることとなっていた。
【０００５】
本発明は、上記に鑑みてなされたものであって、画像データを複数の表示装置にマルチ画面表示する場合において、各表示装置に表示させる画像データを動的に特定して表示させることが可能なマルチ画面表示装置を提供することを目的とする。
【課題を解決するための手段】
【０００６】
上述した課題を解決し、目的を達成するために、本発明にかかるマルチ画面表示装置は、複数の表示装置によって全体画像をマルチ画面表示するマルチ画面表示装置であって、前記表示装置のそれぞれは、入れ替え可能であって、前記マルチ画面表示装置に設けられた複数の信号出力部から出力された信号を受信する受信部と、前記受信部が受信したそれぞれの信号に基づいて、前記マルチ画面表示装置における自装置の位置を動的に特定する表示位置判定部と、前記全体画像のうち、特定された前記位置に対応する部分画像を、前記表示装置に表示させるべき画像として特定する表示領域判定部と、前記部分画像を表示部に表示させる表示制御部と、を備えることを特徴とする。
【発明の効果】
【０００７】
本発明によれば、画像データを複数の表示装置にマルチ画面表示する場合において、各表示装置に表示させる画像データを動的に特定して表示させることが可能なマルチ画面表示装置を提供することができる。
【図面の簡単な説明】
【０００８】
【図１】マルチ画面表示装置の構成例を示す図である。
【図２】タブレット端末１００の機能ブロック図である。
【図３】スピーカ制御装置２４０の機能ブロック図である。
【図４】スピーカ制御装置２４０による出力例を示す図である。
【図５】タブレット端末１００の処理フローチャートを示す図である。
【図６】タブレット端末１００移動の表示画像データ変化の例を示す図である。
【図７】位置補正の例を示す図である。
【発明を実施するための形態】
【０００９】
以下に添付図面を参照して、本発明にかかるマルチ画面表示装置の実施の形態を詳細に説明する。以下に示すように、本実施形態では、例えば、相互に入れ替えられて移動可能な画像表示装置が、自装置とフレームとの位置関係を動的に特定し、その位置に対応する部分画像を自動的に表示する。
【実施例１】
【００１０】
図１は、本実施の形態におけるマルチ画面表示装置の構成例を示す図（（Ａ）：正面図、（Ｂ）：側面図）である。図１に示すように、マルチ画面表示装置は、自立したフレーム３００にタブレット端末１００が４×４の配列で合計１６台設置されている。以下では、タブレット端末１００が１６台設置されている場合について説明しているが、その数や配置に限定されることはない。
【００１１】
図１（Ａ）に示すように、フレーム３００の上下左右の４辺には、上スピーカ２５０、左スピーカ２５２、下スピーカ２５４、右スピーカ２５６が設置されている。これらの４つのスピーカは、後述するように、タブレット端末１００がフレーム枠内に配置されているか否かを判定するために用いられる。また、フレーム３００の脚部の両端にも右下前方スピーカ２６０、右下後方スピーカ２６２が設置されている。これらの２つのスピーカは、後述するように、タブレット端末１００がフレーム平面内に収まって配置されているか否かを判定するために用いられる。図１（Ｂ）に示すように、フレーム３００の脚部は、タブレット端末１００を保持する面に対し、垂直に一定距離分（例えば、２０ｃｍ程度ずつ）前後に張り出している。このように、これらの各スピーカは、それぞれが互いに対称な位置となるように、マルチ画面表示装置に配置されている。
【００１２】
また、フレーム３００の一辺には、これらのスピーカを駆動するスピーカ制御装置２４０が設置され、上述した各スピーカの鳴動を制御する。フレーム３００には、タブレット端末１００の大きさに合わせたレール３１０が設置されており、タブレット端末１００を簡単に取り外したり、取り付けたりすることができるようになっている。フレーム３００のタブレット端末１００の取り付け部は、レール３１０の部分を除いて中空となっており、各スピーカから発せられた音は、タブレット端末１００の正面からも背面からも障害物なく伝播する。
【００１３】
図２は、タブレット端末１００の機能ブロック図である。表示位置判定部１１２は、表示モード（表示モードデータ）１１０および位置補正データ１１８の設定に基づき、タブレット端末１００ごとに、マイク１１４から信号を受信してそのタブレット端末１００に表示させるべき画像データの表示位置を示す位置情報データ１１６を生成する。表示モード１１０は、例えば、縦４台、横４台のタブレット端末１００で表示対象の画像データ全域を表示するといった、フレーム３００および表示対象の画像データ全域の位置および大きさと、タブレット端末１００が表示する部分画像の大きさとの対応関係をあらわす情報である。なお、表示モード１１０は、あらかじめ定められたものでもよく、また、不図示のユーザの操作によってタブレット端末１００に設定されるものでもよい。さらには、不図示の通信手段によって外部の機器からタブレット端末１００に設定されるものでもよい。
【００１４】
後述するように、タブレット端末１００の位置が元の位置に戻されなかった場合には、係員等によってそのタブレット端末１００に表示されている画像の手動補正、あるいは自動的にそのタブレット端末１００が本来表示すべき画像を丸め込んで表示させる補正（丸めこみ補正）を切り替え可能としてもよい。この場合、ユーザの使用環境に応じたふさわしい設定が可能となる。タブレット端末１００が位置ずれしてフレーム３００に置かれた場合において、手動補正の場合には、その画像が自動的に補正されることはないため、例えば、係員がタブレット端末１００の位置ずれに容易に気付くことができ、全体の画像を確認しつつその位置を補正することができる。一方、丸めこみ補正の場合には、手動で画像を補正する必要がなくなるため、補正をする手間を省くことができる。
【００１５】
位置補正データ１１８は、位置補正操作時に、位置補正データ生成部１３４により生成される。位置補正データ１１８の生成方法については図７を用いて後述する。表示領域判定部１２２は、上述した位置情報データ１１６と、フレーム３００全体に表示させる元画像データ１２０とから、タブレット端末１００が表示すべき表示画像データ１２６を生成し、出力する。なお、元画像データ１２０は、タブレット端末１００内部のメモリに保持されるものであってもよいし、不図示の通信手段により外部から取得したものであってもよい。表示制御部１３０は、出力された表示画像データ１２６を、表示部１３２に表示させる。
【００１６】
図３に、スピーカ制御装置２４０の構成図を示す。スピーカ制御装置２４０は、スピーカ切替ＣＰＵ２４２がスピーカ切替パターン２４４に基づき、スピーカ駆動装置に接続されたスピーカを順次切り替えて鳴動させる。スピーカ切替パターン２４４は、各スピーカの鳴動順序を定めた情報である。また、スピーカ制御装置２４０は、上スピーカ２５０、左スピーカ２５２、下スピーカ２５４、右スピーカ２５６は、フレーム面内位置信号発信部２４６に接続され、さらに、右下前方スピーカ２６０、右下後方スピーカ２６２は、フレーム面判定信号発信部２４８に接続され、スピーカ制御装置２４０の指示に従って、所定の周波数のパルスを出力する。
【００１７】
続いて、各スピーカからの音波によりタブレット端末１００のフレーム３００面内での位置、およびフレーム３００の平面内に存在するか否かの特定を行なう手順について説明する。
【００１８】
図４は、スピーカ２５０〜２５６および２６０〜２６２から出力される音波のタイミングの例を表す図である。図４に示すように、上スピーカ２５０は、フレーム面内位置信号発信部２４６による周波数（一般の人には聞こえにくい、例えば２４ｋＨｚの音波）で、パルスを、１ｍｓ間隔で９回発信する。続いて、左スピーカ２５２は、上スピーカ２５０の最初の発信から１００ｍｓ経過した時点から、同様に音波のパルスを８回発信する。さらに、下スピーカ２５４は、左スピーカ２５２の最初の発信から１００ｍｓ経過した時点から、同様に音波のパルスを８回発信する。
【００１９】
そして、右スピーカ２５６は、下スピーカ２５４の最初の発信から１００ｍｓ経過した時点から、同様に音波のパルスを８回発信する。最後に、再び上スピーカ２５０が、右スピーカ２５６の最初の発信から１００ｍｓ経過した時点から、同様に音波のパルスを９回発信する。以下、同様に、音波の発信を繰り返す。
【００２０】
タブレット端末１００は、マイク１１４からの音波受信時に、フレーム面内位置信号発信部２４６による周波数について、スピーカ２５０〜２５６が発するパルス列の間にパルス音の出ない時間（例えば、上述した例では、上スピーカ２５０と左スピーカ２５２との間では９１ｍｓ、他の各スピーカ間では９２ｍｓ。）があることから、各スピーカからの音波を区別することができる。次に、上スピーカ２５０が９回発信することから、上スピーカ２５０を識別することができ、スピーカ切替パターン２４４にアクセスして、その後の発信順（上述した例では、反時計回り）を参照することにより、他のスピーカ２５２〜２５６を識別することができる。
【００２１】
タブレット端末１００が、各スピーカ２５０〜２５６から等距離にある場合には、パルス信号の届くタイミングは、スピーカ制御装置２４０が発信したタイミングと同様である。しかし、タブレット端末１００が、各スピーカ２５０〜２５６から等距離ではない場所にある場合には、各スピーカからのパルスがタブレット端末１００に届くタイミングが、位置に応じて異なる。
【００２２】
例えば、下スピーカ２５４からの最初のパルスが、上スピーカ２５０の最初のパルスから数えて２０．１ｍｓ後と、画像表示装置１００が等距離にある場合よりも０．１ｍｓ遅かったとする。これはタブレット端末１００〜下スピーカ２５４間の距離が、タブレット端末１００〜上スピーカ２５０間の距離よりも遠いことによるものであり、音速を３４０ｍ／ｓとするとその距離の差は３４ｍｍと計算される。すなわち、表示位置判定部１１２は、タブレット端末１００は上スピーカ２５０と下スピーカ２５４との等距離線より３４ｍｍ分上スピーカ２５０に近い双曲線上に存在すると判断することができる。
【００２３】
同様に、表示位置判定部１１２は、他のスピーカ、例えば、左スピーカ２５２と右スピーカ２５６からの距離の差を求め、タブレット端末１００が存在する双曲線を別途求め、先に求めた双曲線との交点から、タブレット端末１００のフレーム３００面内での位置を求めることができる。このように、フレーム３００内の全てのタブレット端末１００について存在位置を判断することにより、タブレット端末１００のそれぞれが本来の位置からどの程度ずれているかを知ることができる。
【００２４】
タブレット端末１００のマイク１１４の設置位置により等距離とされる位置がタブレット端末１００の中心とは異なることから、後述の位置補正操作により位置補正を行なっておくことが望ましい。また、不図示の加速度センサを用いてタブレット端末１００の向きを検知し、求められたタブレット端末１００の位置を補正することが望ましい。また、設置されたスピーカ２５０〜２５６からの音波が伝播速度の異なるフレーム筐体を通じて伝わることが無いよう、各スピーカとフレーム３００の筐体とは音響的に分離されていることが望ましい。
【００２５】
次に、フレーム３００の脚部に設置された右下前方スピーカ２６０と右下後方スピーカ２６２を用いて、タブレット端末１００が画像表示装置のフレーム３００面内にあるかどうかを判定する方法について説明する。
【００２６】
右下前方スピーカ２６０は、フレーム面判定信号発信部２４８による周波数で、一般の人には聞こえにくい、例えば２３ｋＨｚの音波のパルスを、１ｍｓ間隔で９回発信する。右下後方スピーカ２６２は、右下前方スピーカ２６０の最初の発信から１００ｍｓ経過した時点から、同様に音波のパルスを８回発信する。再び右下前方スピーカ２６０が、右下後方スピーカ２６２の最初の発信から１００ｍｓ経過した時点から、同様に音波のパルスを９回発信する。以下、同様に音波の発信を繰り返す。
【００２７】
そして、表示位置判定部１１２は、フレーム面内での距離計測と同様に、タブレット端末１００からの、右下前方スピーカ２６０および、右下後方スピーカ２６２との距離の差を求める。タブレット端末１００が右下前方スピーカ２６０、右下後方スピーカ２６２から等距離にある場合、タブレット端末１００はフレーム３００の面内に存在することが判明する。なお、本実施例では、簡単のため、フレーム面内にあるかどうかの判定のためのパルス列を、フレーム内の位置特定用のパルス列は別周波数のものとして説明したが、同一のパルス列に組み込んで、発信順序を判断して各スピーカを区別してもよい。
【００２８】
図５は、タブレット端末１００が画像データのうちの表示範囲を決める際の処理を説明するフローチャートの例である。以下の処理では、各スピーカから、上述したパルスが常時発信された状態にあるものとする。
【００２９】
表示位置判定部１１２は、フレーム面判定信号の検知を行ない（Ｓ１０１）、タブレット端末１００がフレーム平面内（平面上）に存在するか否かを判定する（Ｓ１０３）。そして、ステップＳ１０３でフレーム平面内（平面上）に存在すると判定された場合（Ｓ１０３；Ｙｅｓ）、表示位置判定部１１２は、フレーム面内の位置の検知（Ｓ１０５）を行う。さらに、表示位置判定部１１２は、タブレット端末１００がフレーム平面内（枠内）に存在するか否かを判定し（Ｓ１０７）、ステップＳ１０７にてフレームの枠内にあると判定された場合（Ｓ１０７；Ｙｅｓ）、位置情報信号１１６を表示領域判定部１２２へ送出する。
【００３０】
表示領域判定部１２２は、位置情報信号１１６と元画像データ１２０とに基づいて、タブレット端末１００に表示すべき表示画像データ１２６を切り出し（Ｓ１０９）、表示制御部１３０が表示を行う（Ｓ１２１）。表示制御部１３０は、不図示のユーザ操作部（例えば、タッチパネル）が位置補正操作を受け付けているか否かを判定し（Ｓ１２３）、位置補正操作中ではないと判定された場合（Ｓ１２３；Ｎｏ）、さらに不図示のユーザ操作部が操作終了の指示を受け付けたか否かを判定し（Ｓ１２５）、終了指示を受け付けていない場合（Ｓ１２５；Ｎｏ）、フレーム面判定信号検知処理（Ｓ１０１）に戻る。
【００３１】
一方、ステップＳ１２３で位置補正操作中であると判定された場合（Ｓ１２３；Ｙｅｓ）、位置補正データ生成部１３４が、不図示のユーザ操作部が受け付けた操作に従って位置補正を行う（Ｓ１２９）。タブレット端末１００がステップＳ１０３での判定時にフレーム面内になかったり（Ｓ１０３；Ｎｏ）、ステップＳ１０７での判定時にフレーム枠内になかったりした場合（Ｓ１０７；Ｎｏ）、表示データをクリアしてから（Ｓ１２７）、表示処理（Ｓ１２１）を行う。
【００３２】
このとき、表示制御部１３０は、表示データをクリアした後、フレーム３００全体に表示させる元画像データ１２０を、タブレット端末１００が有する表示部１３２のサイズに縮小して表示させることとしてもよい。この場合、利用者がタブレット端末１００をフレーム３００から取り外して持ち歩く場合であっても、フレーム３００全体に表示されていた画像を確認することができる。さらに、表示制御部１３０は、表示データクリア処理（Ｓ１２７）において、フレームから外れてしまっている旨の注意メッセージを表示してもよい。この場合、利用者は、タブレット端末１００が、本来あるべき位置から外れてしまっていることを容易に認識することができる。
【００３３】
フレーム面判定信号検知処理（Ｓ１０１）は、測定誤差を考慮して、フレーム面からの距離が大きくない場合（例えば、ずれが数ｍｍの場合等。）はフレーム平面内と判定することが望ましい。また、１回の信号検知での判定を行なう必要は無く、過去数回分の計測による移動平均によって判定を行なってもよい。例えば、過去数回分の測定値や誤差を、タブレット端末１００内に設けられた不図示のメモリに記憶させておき、表示位置判定部１１２が、その移動平均値を求め、さらに現時点の移動平均値がその誤差のしきい値を超えているか否かを判定し、その誤差のしきい値を超えていると判定した場合にはフレーム平面から外れていると判断することとしてもよい。
【００３４】
また、フレーム面内位置信号検知処理（Ｓ１０５）においても、表示位置判定部１１２が、タブレット端末１００の判定位置を、図１（Ａ）のように整然と並んだ場合の最も近い位置に丸めてしまってもよい。例えば、表示位置判定部１１２は、上述したように、タブレット端末１００の位置のずれがフレーム面からの距離が大きくない場合、元画像データ１２０と、その元画像データ１２０を構成する各タブレット端末１００が図１（Ａ）に示したような本来あるべき位置における表示画像データ１２６とに基づいて各タブレット端末１００が表示すべき画像を特定し、現時点でタブレット端末１００に表示されている画像を、特定したその画像に置き換えて表示するように、丸めこみ補正を行ってもよい。
【００３５】
本実施例では、タブレット端末１００がフレーム３００からはずれた場合に、そのタブレット端末１００の表示データをクリアしているが、タブレット端末１００を単体で動作させる用途がある場合は、ステップＳ１２５で表示データをクリアする代わりに、個別のアプリケーションを起動させて単体動作画面に移行してもよい。
【００３６】
また、本実施例では、パルス間の音の出ない時間を充分に取って、パルス列がどのスピーカから出ているのかを区別したが、各スピーカから出す音の周波数を変えて、どのスピーカから出ているパルス列かを区別してもよい。
【００３７】
また、本実施例では、複数のスピーカからの距離の差を求めてタブレット端末１００の位置を特定する方法を示したが、音よりも伝播速度の速い手段（例えば、電波や赤外線）を用いて、音速との差から距離を求め、位置を特定してもよい。さらに、本実施例ではフレーム３００上にスピーカを配置したが、フレーム３００との相対関係が明確であれば、他の位置にスピーカを配置してもよい。
【００３８】
図６は、フレーム３００から２台のタブレット端末１００を取り外し、場所を入れ替えて再び設置した場合の動作概要を描いた図である。図６（Ａ）は、２つのタブレット端末１００ＡおよびＢが、フレーム３００から取り外され、場所を入れ替えた上で、再び設置される様子を示している。図６（Ｂ）は、図６（Ａ）の各状態に対応したタブレット端末１００の表示画像データ１２６の変化を示した図である。タブレット端末１００は、フレーム３００面内にある間は、常に各スピーカから一定の周期でパルスを受信しているため、それぞれのタブレット端末１００は、自らの位置を把握してフレーム面内の位置に対応する表示画像データを保持し、表示部１３２にその画像を表示させているが、フレーム３００面からはずれると表示データはクリアされ、フレーム３００面内の新たな位置に配置されることで、新たな位置に対応した表示画像データが生成され、表示される。
【００３９】
図７は、不図示のユーザ操作部が位置補正操作を受け付け、画像の位置補正がされる様子を示す図である。図７（Ａ）は、位置補正操作中に、タブレット端末１００に表示される画像の位置を補正している様子を示している。ここで、タブレット端末１００は、レール３１０に配置されており、正しく位置補正されていない状態の画像が表示されている。タブレット端末１００に表示されている画面には、表示画像データ１２６のほか、レールの画像が表示されている。タブレット端末１００上で、ユーザが、例えば、タッチパネルに対してドラッグ操作を行なうと、位置補正データ生成部１３４が位置補正データ１１８を書き換える。すなわち、位置補正データ生成部１３４は、位置補正データ１１８を読み出し、ドラッグ操作による画面の変化量の水平方向（Ｘ方向）成分および垂直方向（Ｙ方向）成分を取得し、位置補正データ１１８を更新する。
【００４０】
表示領域判定部１２２は、更新された補正データ１１８と、元画像データ１２０とに基づいて表示画像データ切り出し処理（Ｓ１０９）を行い、ステップＳ１２１において、表示制御部１３０が、補正後の表示画像データ１２６を表示されることで、ユーザのドラッグ操作にあわせてタブレット端末１００に表示される画像を移動させる。画像の移動方法については、従来から行われている種々の手法を用いることができるが、例えば、表示領域判定部１２２は、ドラッグ操作による画面の変化量を画素ごとに判定し、上述した補正量を画素ごとに求めることによって、新たにタブレット端末１００に表示させるべき表示画像データ１２６を特定する。このように、ユーザは、タブレット端末１００に表示されるレールの画像をガイドにして、実物のレール３１０に重なるようドラッグ操作することで、簡単に位置補正を行なうことができる。なお、レール３１０のサイズ（幅や位置、長さ、本数等の構成）をあらかじめ表示モードとともに表示モードデータ１１０に記憶され、表示領域判定部１２２は、元画像データ１２０とレール３１０のサイズとを参照し、各タブレット端末１００に表示させる表示画像データ１２６に、その表示画像データ１２６に対応する位置にあるレール３１０の画像を含めて表示させる。このように、タブレット端末１００に、部分画像である表示画像データ１２６のみでなく、ガイドとなるレール３１０の画像を含めて表示することで、ユーザによる位置補正を容易にすることができる。
【００４１】
図７（Ｂ）は、タブレット端末１００に表示されるレールの画像が、実物のレール３１０と重なって表示され、位置補正が正しくなされた状態を示している。ここで、ユーザが、例えば、タッチパネルに表示されている位置補正操作完了ボタン５０２をタップすることで、位置補正データ生成部１３４がその信号を受け付けて、位置補正操作を完了する。
【００４２】
本実施例によれば、タブレット端末１００をフレーム３００から取り外して、その場所を入れ替えて配置した場合であっても、例えば、図６に示したＡおよびＢのタブレット端末１００は、フレーム３００との位置関係を動的に特定し、その位置に対応する部分画像を表示するマルチ画面表示装置を提供することが可能となる。すなわち、画像データを複数の表示装置にマルチ画面表示する場合において、各表示装置に表示させる画像データを動的に特定して表示させたり、変更させたりすることが可能となる。また、本実施例によればユーザがタブレット端末１００に表示されるレールの画像をレール３１０に合わせるようにドラッグ操作することで、タブレット端末１００の位置補正を簡単に行うことが可能となる。
【００４３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。例えば、表示位置判定部１１２が位置の判定に利用する情報は、マイク１１４からの情報に限るものではなく、不図示の通信手段により入力される信号や、タブレット端末１００に設置された不図示のセンサから得られるものであってもよい。例えば、気圧センサや地磁気センサ、加速度センサであってもよい。
【００４４】
さらに、本実施例では元画像データ１２０の一部を表示する画像表示装置として、タブレット端末１００を利用して説明したが、画像表示装置はスマートホンやＰＤＡなどの携帯端末等、表示部を備えた装置であれば適用することができる。また、本実施例では、位置補正を簡単にするためのガイドとして、レール３１０をタブレット端末１００の画面に表示したが、ガイドとしてはレールに限らず、フレーム３００上に表示されるマーカなどでもよい。
【符号の説明】
【００４５】
１００  タブレット端末
１１４  マイク
２４０  スピーカ制御装置
２５０  上スピーカ
２５２  左スピーカ
２５４  下スピーカ
２５６  右スピーカ
２６０  右下前方スピーカ
２６２  右下後方スピーカ
３００  フレーム
３１０  レール。
【図１】
2014164083.tif 000003
【図２】
2014164083.tif 000004
【図３】
2014164083.tif 000005
【図４】
2014164083.tif 000006
【図５】
2014164083.tif 000007
【図６】
2014164083.tif 000008
【図７】
2014164083.tif 000009